(57)【要約】【課題】本発明は、プラズマディスプレイ装置に備えられるパネルにおいて、ＩＴＯから成る透明電極を除去することによりパネルの製造原価を低減し、ディスプレイ映像の点滅及び輝点の発生を改善し得るプラズマディスプレイ装置を提供する。【解決手段】本発明によるプラズマディスプレイ装置は、上部基板と、前記上部基板上に形成されたスキャン電極及びサステイン電極と、前記スキャン電極及びサステイン電極を覆う誘電体層と、前記上部基板と対向して配置される下部基板と、前記下部基板に形成されるアドレス電極と、を含んで構成されるプラズマディスプレイ装置において、前記スキャン電極とサステイン電極のうち少なくとも一つは単一層で形成され、複数のサブフィールドのうち少なくとも一つのリセット期間において、漸進的に下降するセットダウン区間を含むリセット信号が２回以上前記スキャン電極に供給されることを特徴とする。【選択図】図２
2007334286.tif 000002
【特許請求の範囲】
【請求項１】
上部基板と、前記上部基板上に形成されたスキャン電極及びサステイン電極と、前記スキャン電極及びサステイン電極を覆う誘電体層と、前記上部基板と対向して配置される下部基板と、前記下部基板に形成されるアドレス電極と、を含んで構成されるプラズマディスプレイ装置において、
前記スキャン電極とサステイン電極のうち少なくとも一つは単一層(one layer)で形成され、
複数のサブフィールドのうち少なくとも一つのリセット期間において、漸進的に下降するセットダウン区間を含むリセット信号が２回以上前記スキャン電極に供給されることを特徴とする、プラズマディスプレイ装置。
【請求項２】
前記リセット信号は、漸進的に上昇するセットアップ区間を含むことを特徴とする、請求項１に記載のプラズマディスプレイ装置。
【請求項３】
前記複数のサブフィールドのうち少なくとも一つのリセット期間において、
漸進的に上昇する第１セットアップ区間と、漸進的に下降する第１セットダウン区間と、を含む第１リセット信号と、
漸進的に上昇する第２セットアップ区間と、漸進的に下降する第２セットダウン区間と、を含む第２リセット信号と、が前記スキャン電極に順次に供給されることを特徴とする、請求項１に記載のプラズマディスプレイ装置。
【請求項４】
前記スキャン電極とサステイン電極のうち少なくとも一つは、
前記アドレス電極と交差する方向に形成されたライン部と、
前記ライン部から突出する突出部と、を含むことを特徴とする、請求項１に記載のプラズマディスプレイ装置。
【請求項５】
前記第１リセット信号の最大電圧と前記第２リセット信号の最大電圧とは相異であることを特徴とする、請求項３に記載のプラズマディスプレイ装置。
【請求項６】
放電セル内部における前記アドレス電極の幅が、前記放電セル外部における前記アドレス電極の幅より大きいことを特徴とする、請求項１に記載のプラズマディスプレイ装置。
【請求項７】
前記アドレス電極と交差する方向に前記下部基板に形成された第１隔壁と、
前記第１隔壁と交差する方向に形成された第２隔壁と、をさらに含み、
前記第１隔壁の高さと前記第２隔壁の高さとは相異であることを特徴とする、請求項１に記載のプラズマディスプレイ装置。
【請求項８】
前記下部基板に形成された蛍光体層をさらに含み、
互いに異なる色の光を放出する複数の放電セルのうち第１放電セルの蛍光体層の厚さは第２放電セルの蛍光体層の厚さと相異であることを特徴とする、請求項１に記載のプラズマディスプレイ装置。
【請求項９】
上部基板と、前記上部基板上に形成されたスキャン電極及びサステイン電極と、前記スキャン電極及びサステイン電極を覆う誘電体層と、前記上部基板と対向して配置される下部基板と、前記下部基板上に形成されるアドレス電極と、を含んで構成されるプラズマディスプレイ装置において、
前記スキャン電極とサステイン電極のうち少なくとも一つは単一層で形成され、
複数のサブフィールドのうち少なくとも何れか一つのリセット期間において、
漸進的に下降するセットダウン区間を含むリセット信号が１回以上前記スキャン電極に供給された後、負極性の電圧を有するスキャン信号が前記スキャン電極に供給される前に、第１電圧だけ上昇する第１信号が前記スキャン電極に供給されることを特徴とする、プラズマディスプレイ装置。
【請求項１０】
前記スキャン電極とサステイン電極のうち少なくとも一つは、
前記アドレス電極と交差する方向に形成されたライン部と、
前記ライン部から突出された突出部と、を含むことを特徴とする、請求項９に記載のプラズマディスプレイ装置。
【請求項１１】
前記第１信号は、１６０〜２１０Ｖだけ漸進的に増加することを特徴とする、請求項９に記載のプラズマディスプレイ装置。
【請求項１２】
前記第１上昇信号が供給されるサブフィールドは３個以下であることを特徴とする、請求項９に記載のプラズマディスプレイ装置。
【請求項１３】
上部基板と、前記上部基板上に形成されたスキャン電極及びサステイン電極と、前記スキャン電極及びサステイン電極を覆う誘電体層と、前記上部基板と対向して配置される下部基板と、前記下部基板に形成されるアドレス電極と、を含んで構成されるプラズマディスプレイ装置において、
前記スキャン電極とサステイン電極のうち少なくとも一つは単一層で形成され、
複数のサブフィールドのうち少なくとも一つのリセット期間において、漸進的に下降するセットダウン区間を含むリセット信号が１回以上前記スキャン電極に供給され、
前記複数のサブフィールドのうち少なくとも一つのリセット期間においては、前記スキャン電極に前記リセット信号が供給されないことを特徴とする、プラズマディスプレイ装置。
【請求項１４】
前記リセット信号は、漸進的に上昇するセットアップ区間を含むことを特徴とする、請求項１３に記載のプラズマディスプレイ装置。
【請求項１５】
前記複数のサブフィールドのうち少なくとも一つのリセット期間において、前記アドレス電極に所定電圧が供給されることを特徴とする、請求項１３に記載のプラズマディスプレイ装置。
【請求項１６】
前記スキャン電極とサステイン電極のうち少なくとも一つは、
前記アドレス電極と交差する方向に形成されたライン部と、
前記ライン部から突出する突出部と、を含むことを特徴とする、請求項１３に記載のプラズマディスプレイ装置。
【請求項１７】
高温又は低温における前記リセット信号の最高電圧は、常温における前記リセット信号の最高電圧より高いことを特徴とする、請求項１３に記載のプラズマディスプレイ装置。
【請求項１８】
複数のサブフィールドのうち少なくとも何れか一つのリセット期間において、
漸進的に下降するセットダウン区間を含むリセット信号が１回以上前記スキャン電極に供給された後、負極性の電圧を有するスキャン信号が前記スキャン電極に供給される前に、第１電圧だけ急激に上昇する第１信号が前記スキャン電極に供給されることを特徴とする、請求項１３に記載のプラズマディスプレイ装置。
【請求項１９】
前記アドレス電極と交差する方向に前記下部基板に形成された第１隔壁と、
前記第１隔壁と交差する方向に形成された第２隔壁と、をさらに含み、
前記第１隔壁の高さと前記第２隔壁の高さとは相異であることを特徴とする、請求項１３に記載のプラズマディスプレイ装置。
【請求項２０】
前記下部基板に形成された蛍光体層をさらに含み、
互いに異なる色の光を放出する複数の放電セルのうち第１放電セルの蛍光体層の厚さは、第２放電セルの蛍光体層の厚さと相異であることを特徴とする、請求項１３に記載のプラズマディスプレイ装置。
【発明の詳細な説明】
【技術分野】
【０００１】
本発明は、プラズマディスプレイ装置に係るもので、詳しくは、プラズマディスプレイ装置に備えられるパネルに関する。
【背景技術】
【０００２】
プラズマディスプレイパネルは、上部基板と下部基板の間に形成された隔壁が一つの単位セルを成すことで、各セル内には、ネオン(Ｎｅ)、ヘリウム(Ｈｅ)又はネオン及びヘリウムの混合気体(Ｎｅ＋Ｈｅ)のような主放電気体と少量のキセノンを含む不活性ガスが充填されている。高周波電圧によって放電される時、不活性ガスは真空紫外線を発生し、隔壁の間に形成された蛍光体を発光させて画像が実現される。このようなプラズマディスプレイパネルは、薄くて軽い構成が可能であるので、次世代の表示装置として脚光を浴びている。
【０００３】
図１は、一般的なプラズマディスプレイパネルの構造を示した図面である。図１に示したように、プラズマディスプレイパネルは、画像がディスプレイされる表示面である上部基板１０１上にスキャン電極１０２及びサステイン電極１０３が対を成して形成された複数の維持電極対が配列された上部パネル１００及び背面を成す下部基板１１１上に複数の前記維持電極対と交差するように複数のアドレス電極１１３が配列された下部パネル１１０が一定距離を介して並行に結合される。
【０００４】
前記上部パネル１００には、透明なＩＴＯ(IndiumTin Oxide)から形成された透明電極１０２ａ、１０３ａとバス電極１０２ｂ、１０３ｂから形成されたスキャン電極１０２及びサステイン電極１０３が対を成して形成される。前記スキャン電極１０２及びサステイン電極１０３は、上部誘電体層１０４によって覆われ、該上部誘電体層１０４上には保護層１０５が形成される。
【０００５】
前記下部パネル１１０には、放電セルを区画するための隔壁１１２が形成される。また、複数のアドレス電極１１３が前記隔壁１１２に対して平行に配置される。前記アドレス電極１１３上には、Ｒ(Red)、Ｇ(Green)、Ｂ(Blue)の蛍光体１１４が塗布される。前記アドレス電極１１３と蛍光体１１４の間には、下部誘電体層１１５が形成される。
【０００６】
一方、従来のプラズマディスプレイパネルのスキャン電極１０２又はサステイン電極１０３を構成する透明電極１０２ａ、１０３ａは、高価なＩＴＯから成る。これら透明電極１０２ａ、１０３ａは、プラズマディスプレイパネルの製造原価を上昇させる原因になる。従って、最近では、製造費用を減らしながら使用者が視聴するのに十分な視感特性及び駆動特性などを確保し得るプラズマディスプレイパネルを製造することに主眼点が置かれている。
【発明の開示】
【発明が解決しようとする課題】
【０００７】
従って、本発明は、前記従来技術の問題点を解決するために案出されたもので、プラズマディスプレイ装置に備えられるパネルにおいて、ＩＴＯから成る透明電極を除去することによってパネルの製造原価を低減し、ディスプレイ映像の点滅及び輝点の発生を改善し得るプラズマディスプレイ装置を提供することを目的とする。
【課題を解決するための手段】
【０００８】
前記目的を達成するため、本発明に係るプラズマディスプレイ装置は、上部基板と、前記上部基板上に形成されたスキャン電極及びサステイン電極と、前記スキャン電極及びサステイン電極を覆う誘電体層と、前記上部基板と対向して配置される下部基板と、前記下部基板に形成されるアドレス電極と、を含んで構成されるプラズマディスプレイであって、前記スキャン電極とサステイン電極のうち少なくとも一つは単一層で形成され、複数のサブフィールドのうち少なくとも一つのリセット期間において、漸進的に下降するセットダウン区間を含むリセット信号が２回以上前記スキャン電極に供給されることを特徴とする。
【０００９】
本発明に係る他のプラズマディスプレイ装置は、上部基板と、前記上部基板上に形成されたスキャン電極及びサステイン電極と、前記スキャン電極及びサステイン電極を覆う誘電体層と、前記上部基板と対向して配置される下部基板と、前記下部基板に形成されるアドレス電極と、を含んで構成されるプラズマディスプレイであって、前記スキャン電極とサステイン電極のうち少なくとも一つは単一層で形成され、複数のサブフィールドのうち少なくとも何れか一つのリセット期間において、漸進的に下降するセットダウン区間を含むリセット信号が１回以上前記スキャン電極に供給された後、負極性の電圧を有するスキャン信号が前記スキャン電極に供給される前に、第１電圧だけ上昇する第１信号が前記スキャン電極に供給されることを特徴とする。
【００１０】
また、本発明に係る他のプラズマディスプレイ装置は、上部基板と、前記上部基板上に形成されたスキャン電極及びサステイン電極と、前記スキャン電極及びサステイン電極を覆う誘電体層と、前記上部基板と対向して配置される下部基板と、前記下部基板に形成されるアドレス電極と、を含んで構成されるプラズマディスプレイであって、前記スキャン電極とサステイン電極のうち少なくとも一つは単一層で形成され、複数のサブフィールドのうち少なくとも一つのリセット期間において、漸進的に下降するセットダウン区間を含むリセット信号が１回以上前記スキャン電極に供給され、前記複数のサブフィールドのうち少なくとも一つのリセット期間においては、前記スキャン電極に前記リセット信号が供給されないことを特徴とする。
【発明の効果】
【００１１】
本発明に係る液晶表示装置及びその駆動方法は、画面の転換が急激に行われる場合、不必要な放電セルの選択を防止し得るという効果がある。
【発明を実施するための最良の形態】
【００１２】
以下、添付された図面を参照して、本発明に係るプラズマディスプレイ装置について詳しく説明する。
【００１３】
ただし、本発明に係るプラズマディスプレイ装置は、本明細書に記載した実施形態に限定されることなく、多様な実施形態が存在し得ることを明示するものである。
【００１４】
以下、添付された図２〜図１６Ａ及び図１６Ｂを参照して、本発明に係るプラズマディスプレイ装置について詳しく説明する。
【００１５】
図２は、本発明に係るプラズマディスプレイ装置に備えられるパネルに対する一実施形態を示した斜視図である。
【００１６】
図２を参照すれば、プラズマディスプレイパネルは、所定の間隔を介して合着される上部パネル２００と下部パネル２１０を含む。また、第１維持電極対２０２及び第２維持電極対２０３と交差する方向に下部基板２１１上に形成されるアドレス電極２１３、及び、下部基板２１１上に形成されて複数の放電セルを区画する隔壁２１２を含む。
【００１７】
上部パネル２００は、上部基板２０１上に対を成して形成される維持電極対２０２、２０３を含む。これら維持電極対２０２、２０３は、その機能によってスキャン電極２０２とサステイン電極２０３に区分される。維持電極対２０２、２０３は、放電電流を制限して電極対間を絶縁させる上部誘電体層２０４によって覆われ、該上部誘電体層２０４の上面には、保護膜層２０５が形成され、ガス放電時に発生する各荷電粒子のスパッタリングから上部誘電体層２０４を保護し、２次電子の放出効率を高める。
【００１８】
下部パネル２１０は、下部基板２１１上に複数個の放電空間、すなわち、放電セルを区画する隔壁２１２が形成される。また、アドレス電極２１３が維持電極対２０２、２０３に交差する方向に配置され、下部誘電体層２１５と隔壁２１２の表面にはガス放電時に発生した紫外線によって発光し、可視光を発生させる蛍光体２１４が塗布される。
【００１９】
この時、隔壁２１２は、アドレス電極２１３と並行方向に形成された縦隔壁２１２ａと、アドレス電極２１３と交差する方向に形成された横隔壁２１２ｂで構成され、放電セルを物理的に区分し、放電によって生成された紫外線と可視光が隣接した放電セルに漏洩することを防止する。
【００２０】
また、本発明の実施形態に係るプラズマディスプレイパネルにおいて、維持電極対２０２、２０３は、図１に図示された従来の維持電極対１０２、１０３と異なり、不透明な金属電極のみで構成される。すなわち、従来の透明電極材質であるＩＴＯを使用することなく、従来のバス電極の材質である銀(Ａｇ)、銅(Ｃｕ)又はクロム(Ｃｒ)などを使用して維持電極対２０２、２０３を形成する。すなわち、本発明の実施形態に係るプラズマディスプレイパネルの維持電極対２０２、２０３のそれぞれは、従来のＩＴＯ電極を含むことなく、バス電極一つの単一層で構成される。
【００２１】
例えば、本発明の実施形態に係る維持電極対２０２、２０３のそれぞれは、銀（Ａｇ）で形成されることが好ましく、銀は感光性の性質を有することが好ましい。また、本発明の実施形態による維持電極対２０２、２０３のそれぞれは、上部基板２０１に形成される上部誘電体層２０４に比して色がさらに暗く、光の透過度がさらに低い性質を有することが好ましい。
【００２２】
電極ライン(２０２ａ、２０２ｂ、２０３ａ、２０３ｂ)の厚さは、２〜８μｍであることが好ましい。電極ライン(２０２ａ、２０２ｂ、２０３ａ、２０３ｂ)が前述のような範囲の厚さに形成される場合、プラズマディスプレイパネルが正常動作し得る抵抗の範囲及び必要な開口率を有することにより、ディスプレイ装置の前面に反射される光が前記電極によって遮断されて映像の輝度が減少することを防止することができ、パネルのキャパシタンスが大きく増加しなくなる。また、各電極ライン(２０２ａ、２０２ｂ、２０３ａ、２０３ｂ)が２〜８μｍの厚さを有する場合、その抵抗は５０〜６５Ωであることが好ましい。
【００２３】
Ｒ(Red)、Ｇ(Green)、Ｂ(Blue)のそれぞれの蛍光体層２１４を、厚さ(Width)が実質的に同一であるか、互いに異なるように形成することができる。Ｒ、Ｇ、Ｂ放電セルのそれぞれにおける蛍光体層２１４の厚さが互いに相異である場合には、Ｇ又はＢ放電セルにおける蛍光体層２１４の厚さをＲ放電セルにおける蛍光体層２１４の厚さに比してさらに厚くすることができる。
【００２４】
図２に示したように、一つの放電セル内に維持電極対２０２、２０３がそれぞれ複数個の電極ラインに形成されることが好ましい。すなわち、第１維持電極対２０２が二つの電極ライン２０２ａ、２０２ｂで形成され、第２維持電極対２０３が放電セルの中心を基準に第１維持電極対２０２と対称になるように配列され、二つの電極ライン２０３ａ、２０３ｂで形成されることが好ましい。各第１、２維持電極対２０２、２０３は、それぞれスキャン電極とサステイン電極であることが好ましい。
【００２５】
これは、不透明な維持電極対２０２、２０３を使用することによる開口率と放電拡散効率を考慮したからである。すなわち、開口率を考慮して狭い幅を有する電極ラインを使用する一方、放電拡散効率を考慮して複数個の電極ラインを使用する。この時、電極ラインの個数を開口率と放電拡散効率とを同時に考慮して決定することが好ましい。
【００２６】
一方、図２には図示されていないが、それぞれの電極ライン(２０２ａ、２０２ｂ、２０３ａ、２０３ｂ)は、上部基板２０１と直接接触することなく、所定のブラック層上に形成されてもよい。すなわち、上部基板２０１とそれぞれの電極ライン(２０２ａ、２０２ｂ、２０３ａ、２０３ｂ)の間にブラック層が形成されて、上部基板２０１とそれぞれの電極ライン(２０２ａ、２０２ｂ、２０３ａ、２０３ｂ)が直接接触することにより発生する可能性のある上部基板２０１の変色現象を改善することができる。
【００２７】
図２に図示された構造は、本発明に係るプラズマパネルの構造に関する一実施形態に過ぎないため、本発明は、図２に図示されたプラズマディスプレイパネル構造に限定されない。例えば、外部で発生する外部光を吸収して反射を低減する光遮断機能と上部基板２０１のコントラストを向上させる機能を果たすブラックマトリックス(Black Matrix、ＢＭ)を上部基板２０１に形成することが可能であり、このようなブラックマトリックスは、分離型ＢＭ構造及び一体型ＢＭ構造等のすべての構造を有することが可能である。
【００２８】
また、図２に図示されたパネルの隔壁構造は、縦隔壁２１２ａと横隔壁２１２ｂによって放電セルが閉鎖構造を有するクローズタイプ（Close Type）を示しているが、縦隔壁のみを含むストライプタイプ(Stripe Type)、又は、縦隔壁上に所定の間隔を有して突出部が形成されたフィッシュボーン（Fish Bone）などの構造を有することも可能である。
【００２９】
一方、このようなブラックマトリックスを、形成過程で前述したブラック層と同時に形成して物理的に連結することも可能であり、異なる時点で形成して物理的に連結しないことも可能である。また、物理的に連結して形成する場合、ブラックマトリックスとブラック層を同一材質で形成するが、物理的に分離して形成する場合には、異なる材質で形成することが可能である。
【００３０】
また、本発明の一実施形態は、図２に図示された隔壁構造だけではなく、多様な形状の隔壁構造も可能である。例えば、縦隔壁２１２ａと横隔壁２１２ｂの高さが異なる差等型隔壁構造、縦隔壁２１２ａ又は横隔壁２１２ｂのうち一つ以上に排気通路として使用可能なチャネル（Channel）が形成されたチャネル型隔壁構造、縦隔壁２１２ａ又は横隔壁２１２ｂのうち一つ以上に溝（Hollow）が形成された溝型隔壁構造などが可能である。ここで、差等型隔壁構造の場合には、横隔壁２１２ｂの高さがもっと高いことが好ましく、チャネル型隔壁構造や溝型隔壁構造である場合には、横隔壁２１２ｂにチャネルが形成されるか、又は溝が形成されることが好ましい。
【００３１】
一方、本発明の一実施形態においては、Ｒ、Ｇ及びＢ放電セルのそれぞれが同一線上に配列されることが図示及び説明されているが、他の形状で配列されることも可能である。例えば、Ｒ、Ｇ及びＢ放電セルが三角形状に配列されるデルタ（Delta）タイプの配列も可能である。また、放電セルの形状も四角形だけではなく五角形、六角形などの多様な多角形も可能である。
【００３２】
また、縦隔壁２１２ａの幅と横隔壁２１２ｂの幅は異なるように形成することが可能であり、このような隔壁の幅が上幅又は下幅であることが可能である。また、横隔壁２１２ｂの幅が縦隔壁２１２ａの幅の１．０〜５．０倍であることが好ましい。
【００３３】
一方、本発明の一実施形態に係るプラズマディスプレイパネルにおけるＲ、Ｇ及びＢ放電セルのピッチ（Pitch）は実質的に同一になるように形成することも可能であるが、Ｒ、Ｇ及びＢ放電セルにおける色温度を合わせるために、Ｒ、Ｇ及びＢ放電セルのピッチを相違になるように形成することも可能で有る。この場合、Ｒ、Ｇ及びＢ放電セル別にピッチをすべて相異にすることも可能であるが、Ｒ、Ｇ及びＢ放電セルのうち一つの色を表現する放電セルのピッチのみを相異にすることも可能である。例えば、Ｒ放電セルのピッチが一番小さく、Ｇ及びＢ放電セルのピッチをＲ放電セルのピッチより大きく形成することも可能である。
【００３４】
また、下部基板２１１上に形成されるアドレス電極は幅や厚さが実質的に一定になるように形成することもできるが、放電セルの内部における幅や厚さが放電セル外部における幅や厚さと異なるように形成することもできる。例えば、放電セル内部における幅や厚さが放電セル外部における幅や厚さよりさらに広く、又は、厚く形成することも可能である。
【００３５】
隔壁２１２の材料は、鉛（Ｐｂ）を使用しない、又は、使用した場合、プラズマディスプレイパネルの総重量の０．１重量％又は１０００ＰＰＭ（Parts Per Million）以下に鉛（Ｐｂ）が少なく含まれるようにすることが好ましい。
【００３６】
ここで、鉛成分の全体含量を１０００ＰＰＭ以下にする場合は、プラズマディスプレイパネルの重量対比鉛の含量が１０００ＰＰＭ以下になるようにすることが可能である。
【００３７】
又は、プラズマディスプレイパネルの特定構成要素における鉛成分の含量を１０００ＰＰＭ以下にすることも可能である。例えば、隔壁の鉛成分、誘電体層の鉛成分又は電極における鉛成分の含量をそれぞれの構成要素（隔壁、誘電体層及び電極）の重量に対して、１０００ＰＰＭ以下になるようにすることが可能である。
【００３８】
また、プラズマディスプレイパネルの隔壁、誘電体層、電極、蛍光体層などのすべての構成要素の鉛成分の含量をプラズマディスプレイパネルの重量に対して、それぞれ１０００ＰＰＭ以下にすることも可能である。このように、鉛成分の全体含量を１０００ＰＰＭ以下に設定する理由は、鉛成分が人体に悪影響を及ぼす可能性があるからである。
【００３９】
図３は、プラズマディスプレイパネルの電極配置に関する一実施形態を図示したもので、プラズマディスプレイパネルを構成する複数の放電セルは、図３に示したように、マトリックス形態に配置されることが好ましい。複数の放電セルは、それぞれスキャン電極ライン（Ｙ１〜Ｙｍ）、サステイン電極ライン（Ｚ１〜Ｚｍ）及びアドレス電極ライン（Ｘ１〜Ｘｎ）の交差部に備えられる。各スキャン電極ライン（Ｙ１〜Ｙｍ）は順次駆動され、各サステイン電極ライン（Ｚ１〜Ｚｍ）は共通して駆動される。各アドレス電極ライン（Ｘ１〜Ｘｎ）は奇数番目の各ラインと偶数番目の各ラインに分割されて駆動する。
【００４０】
図３に図示された電極配置は、本発明に係るプラズマディスプレイパネルの電極配置に対する一実施形態に過ぎないために、本発明は図３に図示されたプラズマディスプレイパネルの電極配置及び駆動方式に限定されない。例えば、各スキャン電極ライン（Ｙ１〜Ｙｍ）のうち２個のスキャン電極ラインが同時に駆動されるデュアルスキャン（dual scan）やダブルスキャン（double scan）方式も可能である。ここで、デュアルスキャン方式は、プラズマディスプレイパネルを上下二つの領域に分け、上部領域と下部領域のそれぞれに属している一つずつのスキャン電極ラインを同時に駆動する方式である。また、ダブルスキャン方式は、連続的に配置された二つのスキャン電極ラインを同時に駆動する方式である。
【００４１】
図４は、本発明によるプラズマディスプレイパネルに対して、一つのフレームを複数のサブフィールドに分けて駆動させる方法に関する一実施形態をタイミング図に図示したものである。単位フレームは、時分割階調表示を実現するために所定個数、例えば、８個のサブフィールド（ＳＦ１、．．．、ＳＦ８）に分割することができる。また、各サブフィールド（ＳＦ１、．．．、ＳＦ８）は、リセット区間（図示せず）と、各アドレス区間（Ａ１、．．．、Ａ８）及び各サステイン区間（Ｓ１、．．．、Ｓ８）に分割される。
【００４２】
各アドレス区間（Ａ１、．．．、Ａ８）においては、アドレス電極（Ｘ）に表示データ信号が供給され、各スキャン電極（Ｙ）に相応するスキャンパルスが順次供給される。
【００４３】
各サステイン区間（Ｓ１、．．．、Ｓ８）においては、スキャン電極（Ｙ）とサステイン電極（Ｚ）にサステインパルスが交互に供給され、アドレス区間（Ａ１、．．．、Ａ８）で壁電荷が形成された各放電セルでサステイン放電を起こす。
【００４４】
プラズマディスプレイパネルの輝度は、単位フレームに占めるサステイン放電区間（Ｓ１、．．．、Ｓ８）内のサステイン放電パルス個数に比例する。１画像を形成する一つのフレームが８個のサブフィールドと２５６階調により表現される場合、各サブフィールドには、順次１、２、４、８、１６、３２、６４、１２８の割合で互いに異なるサステインパルスの数を割り当てることができる。また、１３３階調の輝度を得るためには、サブフィールド１区間、サブフィールド３区間及びサブフィールド８区間の間、各セルをアドレッシングしてサステイン放電すれば良い。
【００４５】
各サブフィールドに割り当てられるサステイン放電数は、ＡＰＣ(Automatic Power Control)段階による各サブフィールドの加重値によって可変的に決定することができる。すなわち、図４においては、一つのフレームを８個のサブフィールドに分割する場合の例を挙げて説明したが、本発明はそれに限定されることなく、一つのフレームを形成するサブフィールドの数を設計に応じて多様に変形することが可能である。例えば、一つのフレームを１２又は１６サブフィールドなどのように、８サブフィールド以上又は以下に分割してプラズマディスプレイパネルを駆動させることができる。
【００４６】
また、各サブフィールドに割り当てられるサステイン放電数は、ガンマ特性やパネル特性を考慮して多様に変形することが可能である。例えば、サブフィールド４に割り当てされた階調度を８から６に下げて、サブフィールド６に割り当てされた階調度を３２から３４に上げることができる。
【００４７】
図５Ａは、分割された一つのサブフィールドに対して、本発明に係るプラズマディスプレイパネルを駆動させるための各駆動信号に関する一実施形態をタイミング図に図示したものである。
【００４８】
サブフィールドは、全画面の各放電セルを初期化するためのリセット区間、放電セルを選択するためのアドレス区間、及び、選択された各放電セルの放電を維持するためのサステイン区間を含む。
【００４９】
図５Ａに示したように、本発明に係るプラズマディスプレイパネルの駆動信号によれば、リセット区間において二つのリセット信号が順次スキャン電極（Ｙ）に供給され、その後、漸進的に上昇するセーフ（SAFE）信号がスキャン電極（Ｙ）に供給される。
【００５０】
順次供給される二つのリセット信号のそれぞれは、セットアップ区間（ＳＵ１、ＳＵ２）及びセットダウン区間（ＳＤ１、ＳＤ２）から成り、セットアップ区間（ＳＵ１、ＳＵ２）においては、すべてのスキャン電極（Ｙ）にＶ１又はＶ２だけ漸進的に上昇するセットアップ信号が同時供給されてすべての放電セルから微細放電が発生することによって壁電荷が生成される。ここで、二つのリセット信号の電圧であるＶ１とＶ２は、実質的に同一である場合だけではなく、他の場合にも適用することができる。例えば、Ｖ１の電圧をＶ２の電圧より高くすることができる。
【００５１】
セットダウン区間（ＳＤ１、ＳＤ２）には、セットアップ信号のピーク電圧より低い正極性電圧から漸進的に下降するセットダウン信号がすべてのスキャン電極（Ｙ）に同時に供給され、すべての放電セルから消去放電が発生することで、セットアップ放電によって生成された壁電荷及び空間電荷のうち不要電荷を消去させ、各放電セル内にアドレス放電に必要な壁電荷を均一に残留させるようになる。
【００５２】
リセット信号をスキャン電極（Ｙ）に１回だけ供給する場合には、プラズマディスプレイパネルの不完全性によって、すべての放電セルの壁電荷がアドレス放電に適合に残留されない場合がある。従って、本発明に係る駆動信号のように、リセット信号を２回供給することで、すべての放電セルの壁電荷をアドレス放電に必要な状態に設定することができる。従って、リセットパルスを２回供給することによって輝点の発生を減少させることができる。
【００５３】
リセット信号がセットアップ期間（ＳＵ１、ＳＵ２）の間に上昇する電圧の大きさ（Ｖ１、Ｖ２）は１６０〜２５０Ｖであることが好ましく、より好ましくは、１９０〜２５０Ｖである。上昇電圧の大きさ（Ｖ１、Ｖ２）が前述のような範囲を有する場合、消費電力を大きく増加させない範囲で輝点の発生を減少させることができ、点滅現象を改善することができる。
【００５４】
図５Ａに図示された駆動信号は、本発明の一実施形態に過ぎないために、リセット区間で三つ以上のリセット信号を順次スキャン電極（Ｙ）に供給することもできる。
【００５５】
好ましくは、一つのフレームを分割駆動するための複数のサブフィールドのうち第一のサブフィールドにおいて、図５Ａに示したように、リセットパルスを２回スキャン電極（Ｙ）に供給することが好ましい。かつ、パネルの駆動マージン及びコントラストを考慮すれば、図５Ａに示したような各駆動信号は、一つのフレームの第一のサブフィールドにのみ適用されるか、又は、第一のサブフィールド及び一つのフレームのサブフィールド全体のうち中間位に位置する一つのサブフィールドにも適用することもできる。
【００５６】
図５Ａに示したように、本発明によるプラズマディスプレイパネルの駆動信号によれば、第二のリセット信号が供給された後にＶ３だけ漸進的に上昇する正極性のセーフ信号がスキャン電極（Ｙ）に供給される。セーフ信号は、各放電セルで所望の各壁電荷を形成することができるように、微細放電を起こすようになる。これについて詳しく説明すれば、セットダウン期間（ＳＤ２）において、大部分の各放電セルに含まれているスキャン電極（Ｙ）には負極性の壁電荷が形成され、サステイン電極（Ｚ）には正極性の壁電荷が形成される。しかし、一部の放電セルに含まれているスキャン電極（Ｙ）に正極性の壁電荷を形成することができる。従って、漸進的に上昇する正極性のセーフ信号をスキャン電極（Ｙ）に供給し、すべての各スキャン電極（Ｙ）に負極性の壁電荷が形成されるようにする。すなわち、セットダウン期間（ＳＤ２）において、正極性の壁電荷が形成された各スキャン電極（Ｙ）にもセーフ信号によって負極性の壁電荷が形成されるようになる。
【００５７】
一方、本発明の一実施形態に係る図５Ａにおいては、電圧値が漸進的に上昇する形態のセーフ信号のみが図示されているが、図５Ｂに示したように、電圧値が急激に上昇する形態のセーフ信号５００、５１０も供給することができる。
【００５８】
図５Ｂに示したように、複数のサブフィールドのうち一部のサブフィールドにおいてのみ、リセット信号をスキャン電極に供給することができ、リセット区間のうちセットアップ区間において、アドレス電極に所定電圧、例えば、アドレス電圧（Ｖａ）を供給することができる。
【００５９】
また、リセット信号の最高電圧を温度によって可変することができる。例えば、高温又は低温におけるリセット電圧を常温におけるリセット電圧より高く設定することができる。
【００６０】
一つのフレームの駆動のために分割された複数のサブフィールドのうち一つ又は二つのサブフィールドに対してセーフ信号を供給することが好ましく、二つ以下のサブフィールドに対してセーフ信号を供給することで、局部的な点滅の発生を減少させることができる。
【００６１】
セーフ信号の上昇電圧（Ｖ３）は、１６０〜２１０Ｖであることが好ましい。上昇電圧の大きさ（Ｖ３）が前述のような範囲を有する場合、消費電力を大きく増加させない範囲で輝点の発生を減少させることができ、点滅現象を改善することができる。
【００６２】
複数のサブフィールドのうちセーフ信号が供給されるサブフィールドの個数は、１〜３つが好ましい。アドレス期間においては、負極性スキャン信号が各スキャン電極（Ｙ）に順次供給されると同時に、各アドレス電極（Ｘ）に正極性のデータ信号が供給される。スキャン信号とデータ信号との電圧差とセットアップ期間に生成された壁電圧が加わりながらデータ信号が供給されるセル内にはアドレス放電が発生する。アドレス放電によって選択された各セル内には壁電荷が生成される。一方、本発明の実施形態においては、セーフ信号によってすべての放電セルに形成されたスキャン電極（Ｙ）に負極性の壁電荷が形成されるので、安定したアドレス放電を起こすことができる。これによって点滅現象及び輝点誤放電現象を防止することができる。
【００６３】
アドレス期間において、サステイン電極にはバイアス電圧（Ｖｚｂ）が供給されることが好ましく、該バイアス電圧（Ｖｚｂ）は１４０〜１９０Ｖであることが好ましい。該バイアス電圧（Ｖｚｂ）が前述のような値を有する場合、点滅現象が発生することなく、輝度が向上する。
【００６４】
スキャン信号の電圧（Ｖｙ）は、−１３０〜−９０Ｖであることが好ましく、前述のような値を有することによって、点滅現象及び輝点が発生することなく、ディスプレイする映像のブラック輝度などが向上する。
【００６５】
一方、少なくとも一つのサブフィールドにおいて、スキャン信号の幅を異なるようにすることができる。例えば、時間的に後に位置するサブフィールドにおけるスキャン信号の幅を、時間的に前に位置するサブフィールドにおけるスキャン信号の幅より小さくすることができる。また、サブフィールドの配列順序によるスキャン信号幅を、２．６μｓ、２．３μｓ、２．１μｓ、…１．９μｓなどのように漸進的に減少させることができ、また、２．６μｓ、２．３μｓ、２．３μｓ、２．１μｓ、…、１．９μｓ、１．９μｓなどのようにすることもできる。
【００６６】
また、サブフィールドの位置が時間的に後になる程スキャン信号の幅が減少する途中、あるサブフィールド以後に再びスキャン信号の幅が増加するようにすることもできる。
【００６７】
サステイン区間においては、スキャン電極とサステイン電極に交番的にサステインパルスが供給されて、スキャン電極（Ｙ）とサステイン電極（Ｚ）の間に面放電形態でサステイン放電が発生する。
【００６８】
図５Ａに図示された各駆動波形は、本発明に係るプラズマディスプレイパネルを駆動させるための各信号に関する一実施形態であって、図５Ａに図示された各波形により本発明は限定されない。例えば、各スキャン電極（Ｙ）上に正極性壁電荷を形成して各サステイン電極（Ｚ）上に負極性壁電荷を形成するためのプリリセット（pre-reset）区間をさらに含むことができる。ここで、プリリセット区間は、各フレームにおいて、第一のサブフィールドのリセット期間以前に存在する区間であって、スキャン電極とサステイン電極の間に放電を発生させるためにスキャン電極に負極性の電圧を供給し、サステイン電極に正極性の電圧を供給することができるが、このとき、スキャン電極に供給される負極性の電圧は、電圧値が漸進的に減少するようにすることができる。もちろんのこと、スキャン電極に正極性の電圧を供給し、サステイン電極に負極性の電圧を供給することもできる。
【００６９】
また、図５Ａに図示された各駆動信号の極性及び電圧レベルは、必要に応じて変更可能で、サステイン放電が完了した後に壁電荷消去のための消去信号をサステイン電極に供給することもできる。また、サステイン信号がスキャン電極（Ｙ）とサステイン電極（Ｚ）のうち何れか一つにのみ供給され、サステイン放電を起こすシングルサステイン（single sustain）駆動も可能である。
【００７０】
図６は、本発明に係るプラズマディスプレイパネルの維持電極構造に関する第１実施形態を断面図に図示したものである。図６には、図２のプラズマディスプレイパネルの一つの放電セル内における維持電極対２０２、２０３の配置構造のみを簡略に図示した。
【００７１】
図６に示したように、本発明の第１実施形態に係る維持電極対２０２、２０３は、基板上に放電セルの中心を基準に対称になるように対を成して形成される。維持電極のそれぞれは、放電セルを横切る少なくとも二つの電極ライン２０２ａ、２０２ｂ、２０３ａ、２０３ｂを含むライン部、放電セルの中心に一番近い電極ライン２０２ａ、２０３ａに連結されて放電セル内で放電セルの中心方向に突出する少なくとも一つの突出電極２０２ｃ、２０３ｃを含む突出部から成る。また、図５Ａに示したように、維持電極対のそれぞれは、二つの各電極ラインを連結するブリッジ電極２０２ｄ、２０３ｄのそれぞれをさらに含むことが好ましい。
【００７２】
各電極ライン２０２ａ、２０２ｂ、２０３ａ、２０３ｂは放電セルを横切って、プラズマディスプレイパネルの一方向に延長して形成される。このような同一電極ライン上に位置する放電セルには同一駆動パルスが供給される。本発明の第１実施形態に係る電極ラインは、開口率を向上させるために幅を狭く形成する。また、放電拡散効率を向上させるために、複数個の電極ライン２０２ａ、２０２ｂ、２０３ａ、２０３ｂを使用するが、開口率を考慮して電極ラインの個数を決定することが好ましい。
【００７３】
突出電極２０２ｃ、２０３ｃは、一つの放電セル内で放電セルの中心に一番近い電極ライン２０２ａ、２０３ａにそれぞれ連結され、放電セルの中心方向に突出することが好ましい。各突出電極２０２ｃ、２０３ｃは、プラズマディスプレイパネルの駆動時に放電開始電圧を低下させる。電極ラインの個数が増加することによって、放電セルを中心に隣接する電極ライン２０２ａ、２０３ａの間の距離が遠くなる。各電極ライン２０２ａ、２０３ａの間の距離によって放電開始電圧が上昇するために、本発明の第１実施形態においては、各電極ライン２０２ａ、２０３ａのそれぞれに連結される突出電極２０２ｃ、２０３ｃを備える。近くに形成された各突出電極２０２ｃ、２０３ｃの間では、低い放電開始電圧によっても放電が開始されるから、プラズマディスプレイパネルの放電開始電圧を低下させることができる。ここで、放電開始電圧とは、維持電極対２０２、２０３のうち少なくとも何れか一つの電極にパルスを供給する時に放電が始まる電圧レベルのことを言う。
【００７４】
このような突出電極は、その大きさが非常に小さいことから、製造工程の公差によって実質的に各突出電極２０２ｃ、２０３ｃの電極ライン２０２ａ、２０３ａと連結される部分の幅（Ｗ１）は、突出電極の端部の幅（Ｗ２）より広く形成することができる。また、必要に応じて、その先端の幅をさらに広くすることも可能である。
【００７５】
各ブリッジ電極２０２ｄ、２０３ｄは、それぞれの維持電極対の各電極ラインを連結する。すなわち、第１ブリッジ電極２０２ｄは、第１維持電極対２０２の各電極ライン２０２ａ、２０２ｂを互いに連結させる。第２ブリッジ電極２０３ｄは、第２維持電極対２０３の各電極ライン２０３ａ、２０３ｂを互いに連結させる。ブリッジ電極２０２ｄ、２０３ｄは、突出電極を介して開始された放電が放電セルの中心から遠い電極ライン２０２ｂ、２０３ｂまで容易に拡散することを助ける。
【００７６】
このように、本発明の第１実施形態に係る電極構造は、電極ラインの個数を提案することで、開口率を向上させることができる。また、突出電極を形成することで、放電開始電圧を低下させることができる。また、ブリッジ電極と放電セルの中心から遠い電極ラインによって、放電拡散効率を向上させることができる。また、プラズマディスプレイパネルの発光効率を全体的に向上させることができる。
【００７７】
図７は、本発明に係るプラズマディスプレイパネルの電極構造に関する第２実施形態を断面図に図示したものである。
本発明の第２実施形態に係る維持電極対４０２、４０３は、基板上に一つの放電セルで対を成して形成される。維持電極対４０２、４０３のそれぞれは、放電セルを横切る少なくとも二つの電極ライン４０２ａ、４０２ｂ、４０３ａ、４０３ｂと、放電セルの中心に一番近い電極ライン４０２ａ、４０３ａにそれぞれ連結されて放電セル内で放電セルの中心方向に突出する第１突出電極４０２ｃ、４０３ｃと、それぞれの維持電極対における二つの電極ラインを連結するブリッジ電極４０２ｄ、４０３ｄと、放電セルの中心から一番遠い電極ライン４０２ｂ、４０３ｂにそれぞれ連結され、放電セル内で放電セルの中心の反対方向に突出する第２突出電極４０２e、４０３eと、を含む。
【００７８】
各電極ライン４０２ａ、４０２ｂ、４０３ａ、４０３ｂは放電セルを横切って、プラズマディスプレイパネルの一方向に延長して形成される。本発明の第２実施形態に係る電極ラインは、開口率を向上させるために幅を狭く形成する。電極ラインの幅（Ｗ１）は、２０μｍ以上７０μｍ以下にして開口率を向上させると同時に、放電が円滑に起きるようにすることが好ましい。
【００７９】
図７に示したように、放電セルの中心と近い電極ライン４０２ａ、４０３ａは、第１突出電極４０２ｃ、４０３ｃとそれぞれ連結され、放電セルの中心と近い電極ライン４０２ａ、４０３ａは、放電が開始されると同時に放電拡散が始まる経路を形成する。放電セルの中心から遠い電極ライン４０２ｂ、４０３ｂは、各第２突出電極４０２e、４０３eとそれぞれ連結される。放電セルの中心から遠い電極ライン４０２ｂ、４０３ｂは、放電セルの周辺部まで放電を拡散する役目を果たす。
【００８０】
各第１突出電極４０２ｃ、４０３ｃは、一つの放電セル内で放電セルの中心に近い各電極ライン４０２ａ、４０３ａにそれぞれ連結され、放電セルの中心方向に突出して形成される。好ましくは、第１突出電極は、各電極ライン４０２ａ、４０３ａのラインの中間に位置するように形成する。各第１突出電極４０２ｃ、４０３ｃが互いに対応するように電極ラインの中間に位置することで、プラズマディスプレイパネルの放電開始電圧をさらに効果的に低下させることができる。
【００８１】
各ブリッジ電極４０２ｄ、４０３ｄは、それぞれの維持電極対の各電極ラインを連結する。各ブリッジ電極４０２ｄ、４０３ｄは、突出電極を介して開始された放電が放電セルの中心から遠い電極ライン４０２ｂ、４０３ｂまで容易に拡散することを助ける。ここで、各ブリッジ電極４０２ｄ、４０３ｄは、放電セル内に位置しているが、必要に応じて放電セルを区画する隔壁４１２上に形成することも可能である。
【００８２】
各第２突出電極４０２ｅ、４０３ｅは、一つの放電セル内で放電セルの中心から遠い電極ライン４０２ｂ、４０３ｂに連結され、放電セルの中心方向の反対方向に突出して形成される。これによって、本発明に係るプラズマディスプレイパネルの電極構造に関する第２実施形態においては、各電極ライン４０２ｂ、４０３ｂと隔壁４１２の間の空間にも放電を拡散させることができる。すなわち、放電拡散効率を向上させることで、プラズマディスプレイパネルの発光効率を向上させることができる。
【００８３】
各第２突出電極４０２ｅ、４０３ｅは、放電セルを区画する隔壁４１２まで延長して形成することができる。また、開口率を他の部分で充分に補償し得るなら、放電拡散効率をより一層向上させるために隔壁４１２上に一部延長することも可能である。本発明の第２実施形態においては、各第２突出電極４０２ｅ、４０３ｅを電極ライン４０２ｂ、４０３ｂの中間に位置するように形成し、放電セルの周辺部に放電を均一に拡散させるようにすることが好ましい。
【００８４】
図８は、本発明によるプラズマディスプレイパネルの電極構造に関する第３実施形態を示した断面図である。なお、図８に図示された電極構造のうち図７で記述された同一内容に関する説明については省略する。
【００８５】
図８に示したように、本発明に係る維持電極構造に関する第３実施形態においては、維持電極対６０２、６０３のそれぞれに二つの第１突出電極６０２ｃ、６０３ｃが形成される。各第１突出電極６０２ｃ、６０３ｃは、一つの放電セル内で放電セルの中心に近い電極ライン６０２ａ、６０３ａに連結され、放電セルの中心方向に突出して形成される。第１突出電極６０２ｃ、６０３ｃのそれぞれを構成する２つの突出電極は、電極ラインの中間（midpoint）を基準に互いに対称になるように形成することが好ましい。
【００８６】
維持電極対のそれぞれに二つの第１突出電極を形成することで、放電セルの中心における維持電極の面積が増加する。これによって、放電開始前においては、放電セル内に空間電荷がたくさん形成されて放電開始電圧がより低くなり、放電速度が速くなる。また、放電開始後においては、壁電荷量が増加して輝度が上昇し、放電が全体放電セルに均一に拡散する。
【００８７】
図９は、本発明に係るプラズマディスプレイパネルの維持電極構造に関する第４実施形態を示した断面図である。なお、図９に図示された維持電極構造のうち図７及び図８で記述された同一内容に関する説明については省略する。
【００８８】
図９に示したように、本発明に係る電極構造に関する第４実施形態においては、維持電極対７０２、７０３のそれぞれには、三つの第１突出電極７０２ｃ、７０３ｃが形成される。
【００８９】
各第１突出電極７０２ｃ、７０３ｃは、一つの放電セル内で放電セルの中心に近い電極ライン７０２ａ、７０３ａに連結され、放電セルの中心方向に突出して形成される。好ましくは、何れか一つの第１突出電極を電極ラインの中間に形成し、残り二つの第１突出電極を電極ラインの中間を基準に互いに対称になるように形成する。維持電極対のそれぞれに三つの第１突出電極を形成することで、図７と図８の場合より放電開始電圧が一層低くなり、放電速度も一層速くなる。また、放電開始後には輝度が一層上昇し、放電が全体放電セルにさらに均一に拡散する。
【００９０】
前述のように、第１突出電極の個数を増加させることで、放電セルの中心で維持電極の面積が増加して放電開始電圧が低くなり、輝度が増加する。一方、放電セルの中心で一番強い放電が起きて、一番明るい放電光が放出される点を考慮しなければならない。すなわち、第１突出電極の個数が増加するほど放電セルの中心から放出される光を遮断することで、放出される光が顕著に減少する点と共に、放電開始電圧と輝度効率とを同時に考慮して、最善の個数を選択して維持電極の構造を設計することが好ましい。
【００９１】
図１０は、本発明に係るプラズマディスプレイパネルの電極構造に関する第５実施形態を断面図に図示したものである。維持電極対８００、８１０のそれぞれは、放電セルを横切る３個の電極ライン８００ａ、８００ｂ、８００ｃ、８１０ａ、８１０ｂ、８１０ｃを含む。各電極ラインは、放電セルを横切ってプラズマディスプレイパネルの一方向に延長して形成される。各電極ラインは、開口率の向上のために幅が狭く形成され、好ましくは、２０〜７０μｍの幅を有するようにして開口率を向上させると共に、放電が円滑に起きるようにする。
【００９２】
図１１は、本発明に係るプラズマディスプレイパネルの電極構造に関する第６実施形態を断面図に図示したもので、維持電極９００、９１０のそれぞれは、放電セルを横切る４個の電極ライン９００ａ、９００ｂ、９００ｃ、９００ｄ、９１０ａ、９１０ｂ、９１０ｃ、９１０ｄを含む。各電極ラインは、放電セルを横切ってプラズマディスプレイパネルの一方向に延長して形成される。各電極ラインは、開口率の向上のために幅が狭く形成され、好ましくは、２０〜７０μｍの幅を有するようにして開口率を向上させると共に、放電が円滑に起きるようにする。
【００９３】
それぞれの維持電極対を構成する４個の各電極ラインの間の間隔ｃ１、ｃ２、ｃ３は、互いに同一であるか、又は相異であるように形成することができて、各電極ラインの幅ｄ１、ｄ２、ｄ３、ｄ４も互いに同一であるか、又は相異であるように形成することができる。
【００９４】
図１２は、本発明によるプラズマディスプレイパネルの電極構造に対する第７実施形態を断面図に図示したものである。維持電極対１０００、１０１０のそれぞれは、放電セルを横切る４個の電極ライン１０００ａ、１０００ｂ、１０００ｃ、１０００ｄ、１０１０ａ、１０１０ｂ、１０１０ｃ、１０１０ｄを含む。各電極ラインは、放電セルを横切ってプラズマディスプレイパネルの一方向に延長して形成される。
【００９５】
各ブリッジ電極１０２０、１０３０、１０４０、１０５０、１０６０、１０７０は、それぞれ２個の電極ラインを連結する。各ブリッジ電極１０２０、１０３０、１０４０、１０５０、１０６０、１０７０は、開始された放電が放電セルの中心から遠い電極ラインまで容易に拡散するようにする。図１２に示したように、各ブリッジ電極１０２０、１０３０、１０４０、１０５０、１０６０、１０７０の位置は互いに一致しなくてもよく、何れか一つのブリッジ電極（図１２の例ではブリッジ電極１０４０）が隔壁１０８０上に位置することもできる。
【００９６】
図１３は、本発明によるプラズマディスプレイパネルの電極構造に関する第８実施形態を断面図に図示したものである。図１２に図示された場合と異なって、図１３では、各電極ラインを連結する各ブリッジ電極が同一位置に形成され、維持電極対１１００、１１１０のそれぞれに対して、４個の電極ライン１１００ａ、１１００ｂ、１１００ｃ、１１００ｄ、１１１０ａ、１１１０ｂ、１１１０ｃ、１１１０ｄを連結するブリッジ電極１１２０、１１３０をそれぞれ形成した。
【００９７】
図１４は、本発明に係るプラズマディスプレイパネルの電極構造に関する第９実施形態を断面図に図示したものである。図１４では、電極ライン１２００、１２１０のそれぞれに対して、閉ループ（closed loop）を含む形態の突出電極１２２０、１２３０が形成されている。図１４に示したような閉ループを含む突出電極１２２０、１２３０を介して放電開始電圧を低下させると同時に、開口率を向上させることができる。突出電極及び閉ループの形態は多様に変形することが可能である。
【００９８】
図１５は、本発明に係るプラズマディスプレイパネルの電極構造に関する第１０実施形態を断面図に図示したものである。図１５では、電極ライン１３００、１３１０のそれぞれに対して四角状の閉ループを含む突出電極１３２０、１３３０が形成されている。
【００９９】
図１６Ａ及び図１６Ｂは、本発明に係るプラズマディスプレイパネルの電極構造に関する第１１実施形態を断面図に図示したものである。図１６Ａ及び図１６Ｂでは、電極ライン１４００、１４１０のそれぞれに対して放電セルの中心方向に突出する第１突出電極１４２０ａ、１４２０ｂ、１４３０ａ、１４３０ｂと、放電セルの中心方向又はその反対方向に突出する第２突出電極１４４０、１４５０、１４６０、１４７０が形成されている。
【０１００】
図１６Ａに示したように、電極ライン１４００、１４１０のそれぞれに対して、放電セルの中心方向に突出する２個の第１突出電極１４２０ａ、１４２０ｂと、２個の突出電極１４３０ａ、１４３０ｂと、をそれぞれ形成し、放電セル中心方向の反対方向に突出する第２突出電極１４４０、１４５０をそれぞれ形成することが好ましい。又は、図１６Ｂに示したように、第２突出電極１４６０、１４７０は、放電セルの中心方向に突出するように形成することもできる。
【０１０１】
前述のように構成される本発明に係るプラズマディスプレイ装置に備えられるパネルによれば、ＩＴＯから成る透明電極を除去することによりプラズマディスプレイパネルの製造原価を減少させることができ、スキャン電極又はサステイン電極ラインから放電セルの中心方向又はその反対方向に突出する各突出電極を形成させることで、放電開始電圧を低下させて放電セル内の放電拡散効率を高めることができる。また、２回のリセット信号を供給した後、漸進的に上昇するセーフ信号を供給することで、ディスプレイ映像の点滅及び輝点を減少させて画質を改善することができる。
【０１０２】
以上、説明した内容を通じて当業者であれば本発明の技術事象を逸脱しない範囲で変更が可能であり、本発明の技術的範囲は、明細書の詳細な説明に記載された内容に限るのではなく、特許請求範囲により定められるはずである。
【図面の簡単な説明】
【０１０３】
【図１】プラズマディスプレイ装置に備えられる一般的なパネルの構造を説明する図面である。
【図２】本発明によるプラズマディスプレイパネル構造に関する一実施形態を示した斜視図である。
【図３】本発明によるプラズマディスプレイパネルの電極配置に関する一実施形態を示した断面図である。
【図４】一つのフレームを複数のサブフィールドに分けてプラズマディスプレイパネルを時分割駆動させる方法に関する一実施形態を示したタイミング図である。
【図５Ａ】本発明に係るプラズマディスプレイパネルを駆動させるための各駆動信号に関する実施形態を示したタイミング図である。
【図５Ｂ】本発明に係るプラズマディスプレイパネルを駆動させるための各駆動信号に関する実施形態を示したタイミング図である。
【図６】本発明によるプラズマディスプレイパネルの維持電極構造に関する第１実施形態を示した断面図である。
【図７】本発明に係るプラズマディスプレイパネルの維持電極構造に関する第２実施形態を示した断面図である。
【図８】本発明に係るプラズマディスプレイパネルの維持電極構造に関する第３実施形態を示した断面図である。
【図９】本発明に係るプラズマディスプレイパネルの維持電極構造に関する第４実施形態を示した断面図である。
【図１０】本発明に係るプラズマディスプレイパネルの維持電極構造に関する第５実施形態を示した断面図である。
【図１１】本発明に係るプラズマディスプレイパネルの維持電極構造に関する第６実施形態を示した断面図である。
【図１２】本発明に係るプラズマディスプレイパネルの維持電極構造に関する第７実施形態を示した断面図である。
【図１３】本発明に係るプラズマディスプレイパネルの維持電極構造に関する第８実施形態を示した断面図である。
【図１４】本発明に係るプラズマディスプレイパネルの維持電極構造に関する第９実施形態を示した断面図である。
【図１５】本発明に係るプラズマディスプレイパネルの維持電極構造に関する第１０実施形態を示した断面図である。
【図１６Ａ】本発明に係るプラズマディスプレイパネルの維持電極構造に関する第１１実施形態を示した断面図である。
【図１６Ｂ】本発明に係るプラズマディスプレイパネルの維持電極構造に関する第１１実施形態を示した断面図である。
【符号の説明】
【０１０４】
２００  上部パネル
２０１  上部基板
２０２  スキャン電極
２０３  サステイン電極
２０４  上部誘電体層
２０５  保護膜層
２１０  下部パネル
２１１  下部基板
２１２  隔壁
２１３  アドレス電極
【図１】
2007334286.tif 000003
【図２】
2007334286.tif 000004
【図３】
2007334286.tif 000005
【図４】
2007334286.tif 000006
【図５Ａ】
2007334286.tif 000007
【図５Ｂ】
2007334286.tif 000008
【図６】
2007334286.tif 000009
【図７】
2007334286.tif 000010
【図８】
2007334286.tif 000011
【図９】
2007334286.tif 000012
【図１０】
2007334286.tif 000013
【図１１】
2007334286.tif 000014
【図１２】
2007334286.tif 000015
【図１３】
2007334286.tif 000016
【図１４】
2007334286.tif 000017
【図１５】
2007334286.tif 000018
【図１６Ａ】
2007334286.tif 000019
【図１６Ｂ】
2007334286.tif 000020